(57)【要約】【課題】現在時刻を、コピー紙の任意の印字表示位置に、任意の文字の大きさとフォントで印字表示でき、また現在時刻を記入面に表示するのか否かを選択でき、タイマーの精度向上を図るようにした時間表示機能付ホワイトボードを提供すること。【解決手段】記入面１、記入面読取部２、現在時刻表示部３、タイマー、各種の設定を行なう操作部４、印字出力部５を備え、操作部４により現在時刻の印字表示位置、文字の大きさとフォントを自由に選択設定する機能、及び画像印刷時に印字出力部５により前記選択設定された文字の大きさとフォントで現在時刻をコピー紙６の設定された位置に印字表示する機能、現在時刻を記入面１に表示するのか否かを選択設定する機能、現在時刻を電波時計より受信してタイマーに設定する機能を有する。【選択図】        図１
2005022284.tif 000002
【特許請求の範囲】
【請求項１】
記入面、記入面読取部、現在時刻表示部、タイマー、各種の設定を行なう操作部、印字出力部を備えた時刻表示付ホワイトボードにおいて、操作部により現在時刻の印字表示位置、文字の大きさとフォントを自由に選択設定する機能、及び画像印刷時に印字出力部により前記選択設定された文字の大きさとフォントで現在時刻をコピー紙の選択設定された位置に印字表示する機能を有することを特徴とする時刻表示機能付ホワイトボード。
【請求項２】
操作部により現在時刻を記入面に表示するのか否かを選択設定する機能を有することを特徴とする請求項１に記載の時刻表示機能付ホワイトボード。
【請求項３】
現在時刻を電波時計より受信し、タイマーに設定する機能を有することを特徴とする請求項１又は請求項２に記載の時刻表示機能付ホワイトボード。
【発明の詳細な説明】
【０００１】
【発明の属する技術分野】
本発明は、時刻表示機能付ホワイトボードに関する。
【０００２】
【従来の技術】
ホワイトボード、操作手段、日時表示部、カレンダ時計、操作部、印刷手段、カレンダ時計のバッテリバックアップ手段等を備え、コピー紙にホワイトボードに書込まれた画像とともに現在の日時を印刷するようにしたコピーボード装置が提案されている（例えば、特許文献１参照）。
【０００３】
【特許文献１】
実開平５−４３６５７号公報
【０００４】
【発明が解決しようとする課題】
しかしこの公報で提案されているコピーボード装置では、コピー紙への現在の日時の印字表示位置、文字の大きさとフォントについては考慮されておらず、また現在の日時をホワイトボードに表示するか否かの選択は行なわれてなく、カレンダ時計の精度向上についても考慮されていない。
【０００５】
本発明はこのような点に鑑みなされたもので、コピー紙への現在時刻の印字表示位置、文字の大きさとフォントについて自由に選択し、また現在時刻をホワイトボードに表示するのか否かの選択が可能であり、タイマーの精度向上を図るようにした時刻表示機能付ホワイトボードを提供することを目的とする。
【０００６】
【課題を解決するための手段】
上記目的を達成するために、本発明の時刻表示機能付ホワイトボードは、記入面１、記入面読取部２、現在時刻表示部３、タイマー、各種の設定を行なう操作部４、印字出力部５を備え、操作部４により現在時刻の印字表示位置、文字の大きさとフォントを自由に選択設定する機能、及び画像印刷時に印字出力部５により前記選択設定された文字の大きさとフォントで現在時刻をコピー紙６の選択設定された位置に印字表示する機能を有することを特徴とする。
【０００７】
また上記において、操作部４により現在時刻を記入面１に表示するのか否かを選択する機能を有することを特徴とする。
また上記において、現在時刻を電波時計より受信し、タイマーに設定する機能を有することを特徴とする。
【０００８】
【発明の実施の形態】
本発明の実施の形態を実施例にもとづき図面を参照して説明する。
図１は時刻表示機能付ホワイトボードの外観図である。
１は記入面で、文字、記号、図形等が記入される。２は記入面に記入された文字、記号、図形等の画像を読取る記入面読取部、３は現在時刻表示部であり、例えば現在の「年月日時分」が表示されるが、時刻の表示を必要としない場合には、表示しないように選択することもできる。
４は操作部であり、画像の読取・印刷指示、現在時刻の印字指示、各種の選択設定等の操作を行なう。５は印字出力部で、画像とともに現在時刻が印字表示されて、コピー紙６が出力する。
【０００９】
操作部４による各種の選択設定等には、現在時刻の印字表示位置と文字の大きさ・フォントの選択設定、現在時刻を記入面１に表示するのか否かの選択設定、コピー紙６のサイズの選択設定等が含まれる。
【００１０】
図２は時刻表示機能付ホワイトボードの機能的構成のブロック図である。
２１は、ＲＯＭ、ＲＡＭ等の記憶部を備え、ホワイトボードの全体を制御する全体制御部、２２は通信機能部、２３は図１の印字出力部５、２４は図１の操作部４、２５は表示面駆動部、２６は図１の記入面読取部２、２７は主電源部、２８は電波時計受信部である。
２９はタイマー制御部、３０はタイマー設定部、３１はタイマー表示部であり、これらによりタイマーが構成されている。
【００１１】
３２は、主電源部２７とは別のバックアップ用のタイマー用内蔵電源部で、主電源部２７が切断された後もタイマーの動作を継続する。３３は時刻を出力する時刻出力部するである。
本発明では、現在時刻の精度向上を計るため、現在時刻を電波時計より電波時計受信部２８で受信し、タイマーにこの現在時刻を設定するようにしている。
【００１２】
上記の構成において、操作部４により、現在時刻の印字表示位置、文字の大きさとフォントを選択設定し、画像の印刷指示を行なえば、記入面読取部２により記入面１の画像を読取って、読取った画像とともに、前記選択設定された文字の大きさとフォントで現在時刻が選択設定された位置に印字表示されて、コピー紙６が印字出力部２３から出力する。
【００１３】
また操作部４により現在時刻を記入面に表示するのか否かを選択設定すれば、選択設定されたように現在時刻を記入面１に表示したり、表示しなかったりすることができる。
【００１４】
図３はタイマーの時刻を設定する場合の処理のフローチャートである。
ステップＳ３０で処理がスタートし、ステップＳ３１で電波時計機能付きか判断をし、電波時計機能付きであればステップＳ３２で電波時計の時刻を受信し、ステップＳ３３で受信可能かの判断をし、受信可能であればタイマーへ現時刻を設定し、ステップＳ３１とステップＳ３３で「Ｎ」であればステップＳ３４で現時刻を手動で設定し、いずれの場合もステップＳ３６で処理を終了する。
【００１５】
図４は時刻表示出力位置と表示する時刻の文字のフォント、サイズを指定する場合の処理のフローチャートであり、ステップＳ４０で処理がスタートし、ステップＳ４１で時刻表示出力位置と時刻の文字のフォント、サイズを設定し、ステップＳ４２で処理を終了する。
【００１６】
図５はコピー紙に印刷する場合のプリント出力の処理のフローチャートである。
ステップＳ５０で処理がスタートし、ステップＳ５１でプリント出力の指定かの判断をし、そうであればステップＳ５２でタイムスタンプ印字かの判断をする。
タイムスタンプ印字であればステップＳ５３で現在時刻をタイマー制御部２９より読出し、ステップＳ５４で指定された位置に指定された文字のフォント、サイズでコピー出力バッファにタイムスタンプ情報をセットする。
ステップＳ５５でコピー出力バッファの内容をプリント出力し、ステップＳ５６で処理を終了する。
【００１７】
【発明の効果】
本発明によれば、コピー紙への現在時刻の印字表示位置、文字の大きさとフォントについて自由に選択設定してコピー紙に印字出力することができ、また現在時刻をホワイトボードに表示するのか否かの選択設定が可能であり、また現在時刻を電波時計を受信して設定するのでタイマーの精度向上を図ることができる。
【図面の簡単な説明】
【図１】時刻表示機能付ホワイトボードの外観図。
【図２】時刻表示機能付ホワイトボードの機能的構成のブロック図。
【図３】タイマーの時刻を設定する場合の処理のフローチャート。
【図４】時刻表示出力位置と表示する時刻の文字のフォント、サイズを指定する場合の処理のフローチャート。
【図５】コピー紙に印刷する場合のプリント出力の処理のフローチャート。
【符号の説明】
１  記入面
２  記入面読取部
３  時刻表示部
４  操作部
５  印字出力部
６  コピー紙
２１  全体制御部
２２  通信機能部
２３  印字出力部
２４  操作部
２５  表示面駆動部
２６  記入面読取部
２７  主電源部
２８  電波時計受信部
２９  タイマー制御部
３０  タイマー設定部
３１  タイマー表示部
３２  タイマー用内蔵電源部
３３  時刻出力部
【図１】
2005022284.tif 000003
【図２】
2005022284.tif 000004
【図３】
2005022284.tif 000005
【図４】
2005022284.tif 000006
【図５】
2005022284.tif 000007